(57)【特許請求の範囲】
【請求項１】
入力映像信号に対して所定の映像信号処理を行う映像信号処理部と、
処理対象となる映像領域を設定する領域設定部と、
前記入力映像信号と前記領域設定部の出力から前記入力映像信号が前記領域設定部の設定領域に含まれているか否かを示す領域判定信号を作成する加工信号生成部と、
前記加工信号生成部から出力された前記処理対象の領域を表示するための斜め縞信号と、
該加工信号生成部の出力または、該出力および前記入力映像信号に同期したフレームパルスより斜め縞強調信号を作成する強調信号生成部と、
該強調信号生成部と前記映像信号処理部の出力を混合する映像信号合成部と、
を具え、
前記加工信号生成部は、 前記入力映像信号と前記領域設定部の出力から前記入力映像信号と前記領域設定部で設定された領域の中心となる色との距離を示す比重値を算出する比重値算出回路と、 前記入力映像信号と前記領域設定部の出力から前記入力映像信号が前記領域設定部の設定領域に含まれているか否かを判定する色相・彩度調整判定回路と、 前記比重値算出回路の出力から斜め縞強調信号の表示間隔を決定する斜め縞間隔決定回路と、から構成されること、
を特徴とする処理対象となる色領域を表示する画像処理装置。
【請求項２】
前記比重値算出回路は、
前記入力映像信号を色相・彩度信号に変換する変換回路と、
該変換回路の色相信号出力と領域設定回路の色相出力から前記領域設定部の中心となる色の色相を１とした色相方向の比重値を算出する色相方向比重値算出回路と、
該変換回路の彩度信号出力と前記領域設定回路の彩度出力から前記領域設定部の中心となる色の彩度を１とした彩度方向の比重値を算出する彩度方向比重値算出回路と、
前記色相方向比重値算出回路の出力と彩度方向比重値算出回路の出力を乗算する乗算器と、
から構成されることを特徴とする請求項１に記載の処理対象となる色領域を表示する画像処理装置。
【請求項３】
前記斜め縞間隔決定回路は、
前記比重値算出回路の出力を１から減じる減算器と、
該減算器の出力に所定の斜め縞間隔となる値を乗算する乗算器と、
該乗算器の出力に対して所定のオフセット値を加算する加算器と、
から構成されることを特徴とする請求項１に記載の処理対象となる色領域を表示する画像処理装置。
【請求項４】
前記加工信号生成部は、
前記入力映像信号と前記領域設定部の出力から前記入力映像信号と前記領域設定部で設定された領域の中心となる色との距離を示す比重値を算出する比重値算出回路と、
前記入力映像信号と前記領域設定部の出力から前記入力映像信号が前記領域設定部の設定領域に含まれているか否かを判定する色相・彩度調整判定回路と、
前記比重値算出回路の出力から斜め縞強調信号の表示間隔を決定する斜め縞間隔決定回路と、
前記入力映像信号から前記入力映像信号の色相の補色となる色を求め、前記補色となる色の色相を含む色相環を６分割したときの色のうち中心の色を選択して出力する斜め縞表示色決定回路と、から構成されることを特徴とする請求項１に記載の処理対象となる色領域を表示する画像処理装置。
【請求項５】
前記斜め縞表示色決定回路は、
前記入力映像信号を色相・彩度信号に変換する変換回路と、
該変換回路の色相信号出力に１８０度加算する加算器と、
該加算器の出力が含まれる、色相環を６分割した領域の中心となる色の色相信号を出力する色エリア判定回路と、
から構成されることを特徴とする請求項４に記載の処理対象となる色領域を表示する画像処理装置。
【請求項６】
前記強調信号生成部は、
前記加工信号生成部の出力の前記斜め縞信号から表示用パルス信号を生成するパルス生成回路と、
前記フレームパルスを所定フレーム数カウントするフレームカウンタと、
該フレームカウンタが所定フレーム数をカウントする毎にカウントダウンするダウンカウンタと、
該ダウンカウンタの出力と前記加工信号生成部の出力の前記斜め縞信号が一致するかどうか判定する一致判定回路と、
該一致判定回路の出力により一致のときに前記パルス生成回路の出力、一致でないとき０を出力する第一の選択回路と、
前記加工信号生成部の出力の前記領域判定信号により前記入力映像信号が前記領域設定部の設定領域に含まれているとき前記第一の選択回路の出力を、含まれていないとき０を前記斜め縞強調信号として選択する第二の選択回路と、
から構成されることを特徴とする請求項１に記載の処理対象となる色領域を表示する画像処理装置。
【請求項７】
前記加工信号生成部は、
前記入力映像信号と前記領域設定部の出力から前記入力映像信号と前記領域設定部で設定された領域の中心となる色との距離を示す比重値を算出する比重値算出回路と、
前記入力映像信号と前記領域設定部の出力から前記入力映像信号が前記領域設定部の設定領域に含まれているか否かを判定する色相・彩度調整判定回路と、
前記比重値算出回路の出力から斜め縞強調信号の明滅フレーム間隔を決定する斜め縞明滅フレーム間隔決定回路と、
から構成されることを特徴とする請求項１に記載の処理対象となる色領域を表示する画像処理装置。
【請求項８】
前記斜め縞明滅フレーム間隔決定回路は、
前記比重値算出回路の出力を１から減じる減算器と、
該減算器の出力に所定のフレーム間隔となる値を乗算する乗算器と、
該乗算器の出力に対して所定のオフセット値を加算する加算器と、
から構成されることを特徴とする請求項７に記載の処理対象となる色領域を表示する画像処理装置。
【請求項９】
前記加工信号生成部は、
前記入力映像信号と前記領域設定部の出力から前記入力映像信号と前記領域設定部で設定された領域の中心となる色との距離を示す比重値を算出する比重値算出回路と、
前記入力映像信号と前記領域設定部の出力から前記入力映像信号が前記領域設定部の設定領域に含まれているか否かを判定する色相・彩度調整判定回路と、
前記比重値算出回路の出力から斜め縞強調信号の表示幅を決定する斜め縞表示幅決定回路と、
から構成されることを特徴とする請求項１に記載の処理対象となる色領域を表示する画像処理装置。
【請求項１０】
前記斜め縞表示幅決定回路は、
前記比重値算出回路の出力に基準となる所定の表示幅を乗算する乗算器と、
該乗算器の出力に所定のオフセット値を加算する加算器と、
から構成されることを特徴とする請求項９に記載の処理対象となる色領域を表示する画像処理装置。
【請求項１１】
前記加工信号生成部は、
前記入力映像信号と前記領域設定部の出力から前記領域の境界を示す信号を生成する境界信号生成回路と、
前記入力映像信号と前記領域設定部の出力から前記入力映像信号が前記領域設定部の設定領域に含まれているか否かを判定する色相・彩度調整判定回路と、
から構成されることを特徴とする請求項１に記載の処理対象となる色領域を表示する画像処理装置。
【請求項１２】
前記強調信号生成部は、
任意のパルス信号を生成するパルス生成回路と、
前記フレームパルスを所定フレーム数カウントするフレームカウンタと、
該フレームカウンタが前記所定フレーム数をカウントする毎に０と１の値を交互に切り替えて出力する表示判定回路と、
該表示判定回路の出力により０のときに境界信号生成回路の出力、１のときに色相・彩度調整判定回路の出力を表示判定信号として選択する第一の選択回路と、
該第一の選択回路の出力により０のときに０、１のときに前記パルス生成回路の出力を前記斜め縞強調信号として選択する第二の選択回路と、
から構成されることを特徴とする請求項１に記載の処理対象となる色領域を表示する画像処理装置。
【発明の詳細な説明】
【技術分野】
【０００１】
本発明は、テレビジョンカメラから得られる映像信号に対して色処理などの映像処理を行い、その結果をモニタ表示するときに使用する処理対象となる色領域を表示する画像処理装置に関するものである。
【背景技術】
【０００２】
放送局のテレビスタジオでは、複数のテレビジョンカメラを使用する場合、テレビジョンカメラにより若干色が異なる場合がある。その場合、各テレビジョンカメラに対してカメラマンが同じになるように色補正を行う。
【０００３】
また、テレビジョンカメラで撮像した画像信号に対して、そのままの画像信号を使用せずに画面全体や画面の一部に対して色補正や、スキンディテールなどの肌色補正などの色処理を行う場合もある。
【０００４】
そのときに処理対象となる色領域をテレビモニタ画面上で特定するために、その対象となる色領域上にゼブラ信号などの強調信号を一様に表示して行うことがある。
【０００５】
本出願人は以前、特開２００２−１６９４８号公報（特許文献１）に開示されているように、ベクトルスコープ上に色の検出範囲をガイド表示するガイド信号発生装置を特許出願した。同特許出願にはベクトルスコープの他にテレビモニタにもガイド信号を表示することも特許出願した。
【０００６】
また、特開平７−１４３５１０号公報（特許文献２）には、特定色検出が行われた領域がカラー画像中の白黒部分としてあるいはベクトルスコープ表面上に暗黒部分として表示される技術が開示されている。
【先行技術文献】
【特許文献】
【０００７】
【特許文献１】特開２００２−１６９４８号公報
【特許文献２】特開平７−１４３５１０号公報
【発明の概要】
【発明が解決しようとする課題】
【０００８】
上述した特許文献１および特許文献２ではいずれもその処理対象となる色領域をモニタ画面上で特定しようとする場合、ガイド信号やゼブラ表示するので処理対象となる領域を把握することは可能である。
【０００９】
しかし、色補正などは一度だけではなく、カメラマンやＶＥ（Ｖｉｄｅｏ  Ｅｎｇｉｎｅｅｒ）が何度か色補正を行う場合がある。そのときに、処理対象領域の中心となる画素がどの部分なのかモニタ上で把握できずに何回も色補正を繰り返すという煩わしさがある。図１６は現在の表示例を表したものであり、カメラマンは左の色相環の扇型の部分を指定し、右のようなモニタでその色領域を確認するが、扇の中心となる画素をモニタ上で把握することはできない。
【００１０】
また、図１７は処理対象として指定した色領域の境界上に存在する色が、モニタ画面上のどの部分に存在するのか、あるいはモニタ画面上に存在するのか否かを把握することができない表示例を示したものである。
【００１１】
本発明は、上述した問題を鑑みて画像処理を行った画像をモニタ上に表示するときに、処理対象となる領域の中心、補正の度合いおよび領域の境界を視認できる処理対象となる色領域を表示する画像処理装置を提供することを目的とする。
【課題を解決するための手段】
【００１２】
本発明は、上述した課題を解決するためになされたものであり、請求項１に記載の発明は、入力映像信号に対して所定の映像信号処理を行う映像信号処理部と、処理対象となる映像領域を設定する領域設定部と、前記入力映像信号と前記領域設定部の出力から前記入力映像信号が前記領域設定部の設定領域に含まれているか否かを示す領域判定信号を作成する加工信号生成部と、前記加工信号生成部から出力された前記処理対象の領域を表示するための斜め縞信号と、該加工信号生成部の出力または、該出力および前記入力映像信号に同期したフレームパルスより斜め縞強調信号を作成する強調信号生成部と、該強調信号生成部と前記映像信号処理部の出力を混合する映像信号合成部と、を具え、前記加工信号生成部は、 前記入力映像信号と前記領域設定部の出力から前記入力映像信号と前記領域設定部で設定された領域の中心となる色との距離を示す比重値を算出する比重値算出回路と、 前記入力映像信号と前記領域設定部の出力から前記入力映像信号が前記領域設定部の設定領域に含まれているか否かを判定する色相・彩度調整判定回路と、 前記比重値算出回路の出力から斜め縞強調信号の表示間隔を決定する斜め縞間隔決定回路と、から構成されること、を特徴とする処理対象となる色領域を表示する画像処理装置である。
【００１４】
また、請求項２に記載の発明は、前記比重値算出回路は、前記入力映像信号を色相・彩度信号に変換する変換回路と、該変換回路の色相信号出力と領域設定回路の色相出力から前記領域設定部の中心となる色の色相を１とした色相方向の比重値を算出する色相方向比重値算出回路と、該変換回路の彩度信号出力と前記領域設定回路の彩度出力から前記領域設定部の中心となる色の彩度を１とした彩度方向の比重値を算出する彩度方向比重値算出回路と、前記色相方向比重値算出回路の出力と彩度方向比重値算出回路の出力を乗算する乗算器と、から構成されることを特徴とする請求項１に記載の処理対象となる色領域を表示する画像処理装置である。
【００１５】
また、請求項３に記載の発明は、前記斜め縞間隔決定回路は、前記比重値算出回路の出力を１から減じる減算器と、該減算器の出力に所定の斜め縞間隔となる値を乗算する乗算器と、該乗算器の出力に対して所定のオフセット値を加算する加算器と、から構成されることを特徴とする請求項１に記載の処理対象となる色領域を表示する画像処理装置である。
【００１６】
また、請求項４に記載の発明は、前記加工信号生成部は、前記入力映像信号と前記領域設定部の出力から前記入力映像信号と前記領域設定部で設定された領域の中心となる色との距離を示す比重値を算出する比重値算出回路と、前記入力映像信号と前記領域設定部の出力から前記入力映像信号が前記領域設定部の設定領域に含まれているか否かを判定する色相・彩度調整判定回路と、前記比重値算出回路の出力から斜め縞強調信号の表示間隔を決定する斜め縞間隔決定回路と、前記入力映像信号から前記入力映像信号の色相の補色となる色を求め、前記補色となる色の色相を含む色相環を６分割したときの色のうち中心の色を選択して出力する斜め縞表示色決定回路と、から構成されることを特徴とする請求項１に記載の処理対象となる色領域を表示する画像処理装置である。
【００１７】
また、請求項５に記載の発明は、前記斜め縞表示色決定回路は、前記入力映像信号を色相・彩度信号に変換する変換回路と、該変換回路の色相信号出力に１８０度加算する加算器と、該加算器の出力が含まれる、色相環を６分割した領域の中心となる色の色相信号を出力する色エリア判定回路と、から構成されることを特徴とする請求項４に記載の処理対象となる色領域を表示する画像処理装置である。
【００１８】
また、請求項６に記載の発明は、前記強調信号生成部は、前記加工信号生成部の出力の前記斜め縞信号から表示用パルス信号を生成するパルス生成回路と、前記フレームパルスを所定フレーム数カウントするフレームカウンタと、該フレームカウンタが所定フレーム数をカウントする毎にカウントダウンするダウンカウンタと、該ダウンカウンタの出力と前記加工信号生成部の出力の前記斜め縞信号が一致するかどうか判定する一致判定回路と、該一致判定回路の出力により一致のときに前記パルス生成回路の出力、一致でないとき０を出力する第一の選択回路と、前記加工信号生成部の出力の前記領域判定信号により前記入力映像信号が前記領域設定部の設定領域に含まれているとき前記第一の選択回路の出力を、含まれていないとき０を前記斜め縞強調信号として選択する第二の選択回路と、から構成されることを特徴とする請求項１に記載の処理対象となる色領域を表示する画像処理装置である。
【００１９】
また、請求項７に記載の発明は、前記加工信号生成部は、前記入力映像信号と前記領域設定部の出力から前記入力映像信号と前記領域設定部で設定された領域の中心となる色との距離を示す比重値を算出する比重値算出回路と、前記入力映像信号と前記領域設定部の出力から前記入力映像信号が前記領域設定部の設定領域に含まれているか否かを判定する色相・彩度調整判定回路と、前記比重値算出回路の出力から斜め縞強調信号の明滅フレーム間隔を決定する斜め縞明滅フレーム間隔決定回路と、から構成されることを特徴とする請求項１に記載の処理対象となる色領域を表示する画像処理装置である。
【００２０】
また、請求項８に記載の発明は、前記斜め縞明滅フレーム間隔決定回路は、前記比重値算出回路の出力を１から減じる減算器と、該減算器の出力に所定のフレーム間隔となる値を乗算する乗算器と、該乗算器の出力に対して所定のオフセット値を加算する加算器と、から構成されることを特徴とする請求項７に記載の処理対象となる色領域を表示する画像処理装置である。
【００２１】
また、請求項９に記載の発明は、前記加工信号生成部は、前記入力映像信号と前記領域設定部の出力から前記入力映像信号と前記領域設定部で設定された領域の中心となる色との距離を示す比重値を算出する比重値算出回路と、前記入力映像信号と前記領域設定部の出力から前記入力映像信号が前記領域設定部の設定領域に含まれているか否かを判定する色相・彩度調整判定回路と、前記比重値算出回路の出力から斜め縞強調信号の表示幅を決定する斜め縞表示幅決定回路と、から構成されることを特徴とする請求項１に記載の処理対象となる色領域を表示する画像処理装置である。
【００２２】
また、請求項１０に記載の発明は、前記斜め縞表示幅決定回路は、前記比重値算出回路の出力に基準となる所定の表示幅を乗算する乗算器と、該乗算器の出力に所定のオフセット値を加算する加算器と、から構成されることを特徴とする請求項９に記載の処理対象となる色領域を表示する画像処理装置である。
【００２３】
また、請求項１１に記載の発明は、前記加工信号生成部は、前記入力映像信号と前記領域設定部の出力から前記領域の境界を示す信号を生成する境界信号生成回路と、前記入力映像信号と前記領域設定部の出力から前記入力映像信号が前記領域設定部の設定領域に含まれているか否かを判定する色相・彩度調整判定回路と、から構成されることを特徴とする請求項１に記載の処理対象となる色領域を表示する画像処理装置である。
【００２４】
また、請求項１２に記載の発明は、前記強調信号生成部は、任意のパルス信号を生成するパルス生成回路と、前記フレームパルスを所定フレーム数カウントするフレームカウンタと、該フレームカウンタが前記所定フレーム数をカウントする毎に０と１の値を交互に切り替えて出力する表示判定回路と、該表示判定回路の出力により０のときに境界信号生成回路の出力、１のときに色相・彩度調整判定回路の出力を表示判定信号として選択する第一の選択回路と、該第一の選択回路の出力により０のときに０、１のときに前記パルス生成回路の出力を前記斜め縞強調信号として選択する第二の選択回路と、から構成されることを特徴とする請求項１に記載の処理対象となる色領域を表示する画像処理装置である。
【発明の効果】
【００２５】
請求項１の発明によれば、加工信号生成部の出力である斜め縞信号や領域判定信号と、入力映像信号に同期したフレームパルスから様々な斜め縞強調信号を作成するとことが可能となるため、広い用途に使用可能となる。
【００２６】
また、補正量に応じて斜め縞の表示間隔を異なるように表示することが可能となるため、強調信号を補正量の密度と考えた場合に、例えば色補正領域の粗密がわかりやすくなる。
【００２７】
請求項２の発明によれば、補正の中心となる色を１として線形に比重値を求めたため補正の中心との距離が把握しやすくなるという効果を有する。また、オフセットによる加算を設けたため、ゼブラで表示が覆われることがない。
【００２８】
請求項３の発明によれば、減算器、乗算器および加算器各１ずつで構成できるため、回路全体としての遅延量も小さいものとなるので、特段の遅延対策を必要としない効果を有する。
【００２９】
請求項４の発明によれば、入力映像信号の補色に近い色で斜め縞が表示されるため、黒色単一表示に比べて対象領域がよりわかりやすくなるという効果を有する。
【００３０】
請求項５の発明によれば、色相・彩度信号に変換する変換回路の色相出力のみを使用し、角度の演算と比較器で構成する判定回路で構成することが可能なので、シンプルに構成することができる。
【００３１】
請求項６の発明によれば、所定フレーム数だけ色の中心からの距離が等しい領域が表示するので、異なる距離が一度に表示されるのに対して距離が等しい領域を把握しやすくなるという効果を有する。
【００３２】
請求項９の発明によれば、斜め縞がフレームにより明滅するので斜め縞のない画像も把握することが可能となり、次の補正を行うときに補正を行いやすいという効果を有する。また、映像信号に対する処理の影響がある部分とない部分の境目をモニタ画面上で容易に視認することが可能である。
【００３３】
請求項８の発明によれば、減算器、乗算器および加算器各１ずつで構成できるため、回路全体としての遅延量も小さいものとなるので、特段の遅延対策を必要としない効果を有する。また、オフセットによる加算を設けているため、ゼブラ信号が表示されないのを防
【００３４】
請求項９の発明によれば、強調信号の表示幅が異なるので、対象領域の粗密がわかりやすくなる視認効果を有する。
【００３５】
請求項１０の発明によれば、乗算器と加算器各１ずつからなる構成なので、シンプルに構成できる効果を有する。また、オフセットによる加算を設けているため、ゼブラ信号が
【００３６】
請求項１１の発明によれば、領域設定部の境界がわかりやすくなるので、例えば、補正領域の変更などが容易となる効果を有する。
【００３７】
請求項１２の発明によれば、領域設定部の境界および境界付近と領域設定部が特定フレーム数明滅するので、境界がより把握しやすくなるので、新たに色処理対象領域の設定を行うときに設定が容易となる効果を有する。
【図面の簡単な説明】
【００３８】
【図１】任意の映像信号処理部を色補正とした場合の実施の形態である処理対象となる色領域を表示する画像処理装置のブロック図である。
【図２】図１の加工信号生成部１０７の比重値算出回路１０８のブロック図およびその説明図である。
【図３】図１の加工信号生成部１０７のゼブラ間隔決定回路１１０のブロック図およびその説明図である。
【図４】図１の加工信号生成部１０７にゼブラ色決定回路４００を追加したときの実施の形態のブロック図である。
【図５】図４のゼブラ色決定回路４００のブロック図およびその説明図である。
【図６】図１の強調信号生成部１１１にフレームパルスを追加したときのブロック図を表したものである。
【図７】図６の強調信号生成部１１１のゼブラ信号生成回路１１２のブロック図およびその説明図である。
【図８】図６のゼブラ間隔決定回路１１０をゼブラ明滅フレーム間隔決定回路８００に変更した場合のブロック図である。
【図９】図８のゼブラ明滅フレーム間隔決定回路８００のブロック図およびその説明図である。
【図１０】図１の加工信号生成部１０７のゼブラ間隔決定回路１１０をゼブラ幅決定回路１０００に変更した場合のブロック図である。
【図１１】図１０のゼブラ幅決定回路１０００のブロック図およびその説明図である。
【図１２】図６の加工信号生成部１０７を境界信号生成回路１２００および色相・彩度調整判定回路１０９で構成したときブロック図である。
【図１３】図１２の境界信号生成回路１２００のブロック部とその説明図である。
【図１４】図１２の強調信号生成部１１１のゼブラ信号生成回路１１２のブロック図およびその説明図である。
【図１５】従来の境界表示例および図１２の境界信号生成部１２００による表示例である。
【図１６】従来の色処理領域のゼブラ表示の説明図である。
【図１７】従来の色処理領域の境界表示の説明図である。
【発明を実施するための形態】
【００３９】
図１は本発明の実施の形態の１つを表したものである。
図１は、映像入力端子１００−１、１００−２および１００−３、任意の映像信号処理部１０１、色補正演算回路１０２、色補正演算用係数生成回路１０３、色相・彩度設定部１０４、色領域設定部１０５、色相・彩度調整対象領域設定部１０６、加工信号生成部１０７、比重値算出回路１０８、色相・彩度調整判定回路１０９、ゼブラ間隔決定回路１１０、強調信号生成部１１１、ゼブラ信号生成回路１１２、ゼブラ信号合成回路１１３、モニタ１１４から構成する。破線Ａの左側が本発明の処理対象となる色領域を表示する画像処理装置である。
【００４０】
各部の動作について説明する。
映像入力端子１００−１には、テレビジョンカメラなどから得られたＲチャンネル映像信号、１００−２にはＧチャンネル映像信号および１００−３にはＢチャンネル映像信号を入力する。
【００４１】
任意の映像信号処理部１０１は、入力映像信号を映像信号処理するものであり、この実施の形態では色補正で説明する。そのため、入力映像信号に対して所定の係数を乗算する色補正演算回路１０２と、所定の係数を生成する色補正演算用係数生成回路１０３と、色補正する色を設定する色相・彩度設定部１０４から構成する。色相・彩度設定部１０４は、外部の操作パネルから補正を行うときの色相と彩度の補正量を設定する。色の補正量とは色の度合いを示すものである。色補正演算用係数生成回路１０３は、色相・彩度設定部１０４で設定された色相・彩度および後述する色領域設定部１０５に含まれる色相・彩度調整対象領域設定部１０６の出力に基づき、ＲＧＢ映像信号に対する補正係数を生成して色補正演算回路１０２に出力する。
【００４２】
色領域設定部１０５は色相・彩度調整対象領域設定部１０６から構成され、色相・彩度を対象となる色領域と、その色領域内でどの色を中心に調整していくのかを設定する。この実施の形態では色相方向および彩度方向の領域を指定しているが、それらに加えて明度方向の領域を指定や、あるいはいずれか一方向のみの領域を指定してもよい。
【００４３】
加工信号生成部１０７は色を調整する時に中心となる色（以下、中心色）からどの程度離れているかを算出する比重値算出回路１０８、色相・彩度を調整する対象となる色領域に入力映像信号が含まれているかどうかを判定する色相・彩度調整判定回路１０９、表示する斜め縞すなわちゼブラの縞の間隔を決定するゼブラ間隔決定回路１１０から構成し、色相・彩度調整判定回路１０９とゼブラ間隔決定回路１１０からの出力を加工信号生成部１０７の出力とする。
【００４４】
強調信号生成部１１１はゼブラ信号生成回路１１２のみから構成し、ゼブラ信号生成回路１１２は、色相・彩度調整判定回路１０９とゼブラ間隔決定回路１１０からの出力からゼブラの縞の間隔の値に応じたゼブラ映像信号を生成する。
【００４５】
ゼブラ信号合成回路１１３は色補正演算出力Ｒ’、Ｇ’およびＢ’の映像信号に対して強調信号生成部１１１の出力であるゼブラ映像信号を合成する。
【００４６】
そして、モニタ１１４にはゼブラ映像信号が合成された画像信号が映し出される。
以上が図１の動作である。
【００４７】
図２は、比重値算出回路１０８の詳細のブロック図２（ａ）と説明図２（ｂ）および図２（ｃ）である。図２は、Ｒチャンネル映像入力端子２００−１、Ｇチャンネル映像入力端子２００−２、Ｂチャンネル映像入力端子２００−３、ＲＧＢ−ＨＳＶ変換回路２０１、色相方向の範囲入力端子２０２、彩度方向の範囲の入力端子２０３、中心色の色相方向の入力端子２０４,中心色の彩度方向の入力端子２０５、色相方向比重値算出回路２０６、彩度方向比重値算出回路２０７、乗算器２０８および比重値出力端子２０９から構成する。
【００４８】
ＲＧＢ−ＨＳＶ変換回路２０１で入力映像信号ＲＧＢを色相と彩度のＨ’およびＳ’信号に変換して色相出力Ｈ’は色相方向比重値算出回路２０６へ、彩度出力Ｓ’は彩度方向比重値算出回路２０７へ出力する。ＲＧＢ−ＨＳＶ変換回路２０１は色空間をＲＧＢからＨＳＶに変換し、映像信号を色相・彩度・明度に変換するが明度は使用しない。
【００４９】
色相方向比重値算出回路２０６では、ＲＧＢ−ＨＳＶ変換回路２０１の色相出力Ｈ’に対して、色相入力端子２０２および２０４に基づいて比重値を算出する。色相入力端子２０２および２０４には図２（ｂ）に示す値が入力される。図２（ｂ）は色相環を示す。色相入力端子２０２は調整の対象となる色領域の色相方向の範囲を示す値Ｈ１およびＨ２を、色相入力端子２０４は調整の対象となる色領域の中心の値Ｈ３を領域設定部１０５から入力する。この値を基にして図２（ｃ２）に示すような線形のグラフを作成し、中心Ｈ３を１とした比重値を算出する。
【００５０】
彩度についても同様である。彩度方向比重値算出回路２０７では、ＲＧＢ−ＨＳＶ変換回路２０１の彩度色相出力Ｓ’に対して、彩度入力端子２０３および２０５に基づいて比重値を算出する。彩度入力端子２０３および２０５には図２（ｂ）に示す値が入力される。彩度入力端子２０３は調整の対象となる色領域の彩度方向の範囲を示す値Ｓ１およびＳ２を、彩度入力端子２０５は調整の対象となる色領域の中心の値Ｓ３を領域設定部１０５から入力する。この値を基にして図２（ｃ１）に示すような線形のグラフを作成し、中心Ｓ３を１とした比重値を算出する。いずれの算出においても中心色の色相・彩度の値より離れるに従い、比重値が線形に小さくなるような算出方法である。色相方向の比重値と彩度方向の比重値を乗算器２０８で乗算し、最終の比重値とする。この値は、０〜１の範囲の値であり、１に近いほど中心色に近く、０に近いほど中心色から離れていることを示す。
【００５１】
図３はゼブラ間隔決定回路１１０を示したものであり、構成図３（ａ）と説明図３（ｂ）から構成される。ゼブラ間隔決定回路１１０はゼブラの縞の間隔をどの程度空けるかを決める回路であり、中心色に近いほどゼブラの縞の間隔は狭まり、中心色から離れるほどゼブラの縞の間隔が広がるような回路である。構成は図３（ａ）から比重値入力端子３００、１から入力比重値を減算する減算器３０１、減算器３０１の出力に固定となるベース間隔を乗算する乗算器３０２、乗算器３０２の出力にオフセット加算する加算器３０３およびゼブラ間隔出力端子３０４である。
【００５２】
１からの減算器３０１について説明する。比重値は１に近いほど中心色に近いため、比重値をそのままにしてベース（基準）間隔の乗算係数と乗算して使用すると縞の間隔が広いほど中心色に近くなり、縞の持つ間隔の意味が逆となる。そこで１から比重値を減算することにより０〜１が持つ意味を反転させる。つまり、０に近いほど中心色に近くなり、１に近いほど中心から離れていることとなるように減算器を使用する。乗算器３０２は基準となるベース間隔と乗算する。ベース間隔は固定である。最後にオフセット加算を加算器３０３で行う。オフセット加算は乗算結果が０になると縞の間隔が０となり領域全体をゼブラで覆いかくしてしまうのを避けることを目的としてオフセット加算を行う。図３（ｂ）に示すように比重値が１の場合、覆い隠してしまい何の画像かわからなくなる。図３（ｂ）の右側が実際に表示した出力である。オフセット加算の出力をゼブラの間隔として出力する。
【００５３】
ゼブラ信号生成回路１１２ではゼブラ間隔決定回路１１０からのゼブラ間隔信号に基づいてゼブラの縞の間隔の値に応じたゼブラ信号を作成する。そのときに色相・彩度調整判定回路１０９からの出力により入力映像信号が色相・彩度を調整する対象となる色領域に含まれないときにはゼブラ信号を生成しない。
【００５４】
図４は図１の加工信号生成部１０７にゼブラ色決定回路４００を加えた構成を示したものである。この追加によりゼブラ信号の色を変化させることが可能となる。図１と変わらない部分は同じ番号を付している。
【００５５】
図５はゼブラ色決定回路４００の構成図５（ａ）とその説明図５（ｂ）である。構成図５（ａ）はＲチャンネル映像入力端子５００−１、Ｇチャンネル映像入力端子５００−２、Ｂチャンネル映像入力端子５００−３、ＲＧＢ−ＨＳＶ変換回路５０１、加算器５０２、色エリア判定回路５０３およびゼブラ色信号出力端子５０４である。
【００５６】
ＲＧＢ−ＨＳＶ変換回路５０１はＲＧＢ−ＨＳＶ変換回路２０１と同じ構成であるが、図５では色相出力Ｈ’のみを使用する。色相出力Ｈ’に対して加算器５０２で１８０度加算して入力映像信号の色相に対して補色となる色相信号に変換する。
【００５７】
色エリア判定回路５０３は１８０度加算された色信号が色相環を６分割した信号のどこに属するかを判定するものである。図５（ｂ）はその様子を示したものであり、Ｈ’が入力映像信号の色相であり、６分割のＲ領域である。１８０度加算することによりＣｙ領域となる。Ｃｙ領域であることを判定する。その色信号Ｃｙの中心色をゼブラ色信号出力端子５０４から出力する。すなわち、入力映像信号に対して補色ではなく、その補色が属する６分割の色信号の中心となる色信号をゼブラ色の信号とする。このゼブラ色信号は強調信号生成部１１１のゼブラ生成回路１１２に入力され、ゼブラ映像出力信号として出力される。そのときに、６分割の色はＲＧＢの混色で表現可能なので、例えば、マゼンダ（Ｍｇ）の場合にはＲとＢのみのゼブラ信号として出力すればよい。
【００５８】
図６は図１の強調信号生成部１１１にフレームパルスを入力させてゼブラの縞の間隔ごとにゼブラ映像信号を表示するタイミングを変化させる構成である。図１と異なるのはフレームパルス入力端子６００を新たに設けて強調信号生成部１１１に供給する点である。供給するフレームパルスは入力映像信号と同期しているフレームパルス信号である。図１と変わらない部分は同じ番号を付している。
【００５９】
具体的には、ゼブラ間隔信号が最も広い値の領域のみゼブラ映像信号を表示することを特定のフレーム数分のみ行う。次にゼブラ間隔信号が２番目に広い値の領域のみゼブラ映像信号を表示することを特定のフレーム数分のみ行う。さらにゼブラ間隔信号が３番目に広い値の領域のみゼブラ映像信号を表示することを特定のフレーム数分のみ行う。これを繰り返し、ゼブラ間隔信号が最も狭い値の領域のみゼブラ映像信号を表示することを特定のフレーム数分終了後はゼブラ間隔信号が最も広い値の領域のみゼブラ映像信号を表示することを行い、これを繰り返すという動作を行う。この動作はモニタ画面上で次第にゼブラの縞の間隔が狭くなるように表示され、中心色への距離が同じである領域がモニタ画面上のどの部分に存在するかを視認させる。
【００６０】
図７は図６の強調信号生成部１１１すなわちゼブラ信号生成回路１１２の具体的構成および動作説明図である。構成図７（ａ）は、ゼブラ間隔信号入力端子７００、パルス生成回路７０１、フレームパルス入力端子７０２、フレームカウンタ７０３、ゼブラ間隔カウンタ７０４、一致判定回路７０５、第一の選択回路７０６、処理を行う対象となる色領域に含まれているかどうかの判定信号入力端子７０７、遅延回路７０８、第二の選択回路７０９およびゼブラ映像信号出力端子７１０である。
【００６１】
各部動作について説明する。
パルス生成回路７０１はゼブラ間隔信号の値に応じて幅を調整したパルスを生成する。具体的には、０→１→０→１→・・・を繰り返すパルスの０の幅をゼブラ間隔信号の値にすることでパルスの幅を変化させる。
【００６２】
フレームカウンタ７０３ではフレームパルス入力端子７０２から入力したフレームパルスを０→１に変化するタイミングでフレームカウンタ値を１増やす。ただし１増やした結果が、予め定めておいた特定のフレーム数の値と一致する場合は、フレームパルスの値が次に０→１に変化するタイミングでフレームカウンタ値を１に戻す。この処理を繰り返す。特定フレーム数が１０の場合が図７（ｂ）である。
【００６３】
ゼブラ間隔カウンタ７０４では、フレームカウンタ７０３からのフレームカウント値が１になるタイミングでゼブラ間隔カウンタ値を１減らす。このとき、ゼブラ間隔カウンタ値は「ベース間隔＋オフセット」〜「オフセット」の間の値を取るようにする。そのために、ゼブラ間隔カウンタ値を１減らした結果が、オフセットの値と一致する場合は、フレームカウント値が次に１になるタイミングでゼブラ間隔カウンタ値を「ベース間隔＋オフセット」の値に戻す。この処理を繰り返す。ベース間隔を４およびオフセットを１とした場合を図７（ｃ）に示す。
【００６４】
一致判定回路７０５ではゼブラ間隔信号の値とゼブラ間隔カウンタ７０４からの信号の値が一致しているかどうかを判定する。２つの値が一致している場合は１を出力し、２つの値が不一致の場合は０を出力する。
【００６５】
第一の選択回路７０６では一致判定回路７０５からの信号の値により、出力する信号を選択する。一致判定回路７０５からの信号の値が０の場合は０を出力し、一致判定回路７０５からの信号の値が１の場合はパルス生成回路７０１からのパルス信号をそのまま出力する。
【００６６】
遅延回路７０８では、色相・彩度調整判定回路からの「処理を行う対象となる色領域に含まれているかどうかを示す信号」を、パルス生成回路７０１での処理遅延量と第一の選択回路７０６での処理遅延量の合計分だけ遅延する。これにより、第一の選択回路７０６からの出力信号と遅延回路７０８の出力信号が第二の選択回路に入力されるタイミングは、ゼブラ間隔信号と「処理を行う対象となる色領域にふくまれているかどうかを示す信号」がゼブラ信号生成回路１１２に入力されるタイミングと同じ関係になる。
【００６７】
第二の選択回路７０９は、処理を行う対象となる色領域に含まれている場合は第一の選択回路７０６からの出力を、処理を行う対象となる色領域に含まれていない場合は０を出力する。以上の動作により、ゼブラ間隔信号の縞の間隔ごとに特定のフレーム数分表示するようになる。この実施の形態の例は、特定フレーム数が１０で表示間隔は５種類である。特定フレーム数を変えると表示するフレーム時間が変わる。これはフレームカウンタ７０３の設定値を変更する。また、表示間隔を変更する場合にはゼブラ間隔カウンタ７０４の設定値を変更する。
【００６８】
図８は図６のゼブラ間隔決定回路１１０をゼブラ明滅フレーム間隔決定回路８００に置換したものである。これは、映像信号に対して色補正処理を行うときに、色を調整する対象となる色領域部分において、ゼブラ信号の明滅の時間間隔を変化させるものである。図１と変わらない部分は同じ番号を付している。
【００６９】
図９は図８のゼブラ明滅フレーム間隔決定回路８００の詳細な構成とその説明図である。構成は図９（ａ）から比重値入力端子９００、１から入力比重値を減算する減算器９０１、減算器９０１の出力に固定となるベースフレーム数を乗算する乗算器９０２、乗算器９０２の出力にオフセット加算する加算器９０３およびゼブラ明滅フレーム間隔出力端子９０４である。
【００７０】
１からの減算器９０１について説明する。比重値は１に近いほど中心色に近いため、比重値をそのままにしてベースフレーム数の乗算係数と乗算して使用すると、ゼブラの明滅速度が遅いほど中心色に近くなり、明滅速度の持つ間隔の意味が逆となる。そこで１から比重値を減算することにより０〜１が持つ意味を反転させる。つまり、０に近いほど中心色に近くなり、１に近いほど中心から離れていることとなるように減算器を使用する。
【００７１】
乗算器９０２は基準となるベースフレーム数と乗算する。ベースフレーム数は固定である。最後にオフセット加算を加算器９０３で行う。オフセット加算は乗算結果が０になると、ゼブラフレーム間隔が０となり本来はゼブラが発生する領域にゼブラ信号が表示されなくなるのを避けることを目的としてオフセット加算を行う。
【００７２】
図９（ｂ）に示すように比重値が１の場合、ゼブラ信号が表示されなくなるのを防止する。オフセット加算の出力をゼブラの明滅フレーム間隔出力端子９０４から出力する。
【００７３】
図１０は図１のゼブラ間隔決定回路１１０をゼブラ幅決定回路１０００に置換したものである。これは、映像信号に対して色補正処理を行うときに、色を調整する対象となる色領域部分において、ゼブラ信号の幅を変化させるものである。図１と変わらない部分は同じ番号を付している。
【００７４】
図１１は図１０のゼブラ幅決定回路１０００の詳細な構成とその説明図である。構成は図１１（ａ）から比重値入力端子１１００、入力比重値に固定となるベース幅を乗算する乗算器１１０１、乗算器１１０１にオフセット加算する加算器１１０２およびゼブラ幅出力端子１１０３である。比重値算出回路１０８の出力信号は比重値入力端子１１００から入力する。乗算器１１０１は入力した比重値と基準となるベース幅と乗算する。ベースとなる幅（以下、ベース幅）は固定である。これはベース幅を予め設定しておき、それに対して０〜１の係数を乗算して縞の幅を小さくすることで、縞の幅を変化させる。最後にオフセット加算を加算器１１０２で行う。このオフセット加算を行うのは、乗算結果が０になることで縞の幅が０になり、本来はゼブラが発生するべき領域にゼブラ信号が表示されなくなるのを避けることを目的としている。
【００７５】
図１１（ｂ）に比重値が０の場合、ゼブラ信号が表示されなくなるのを防止する。オフセット加算の出力をゼブラ幅出力端子１１０３から出力する。
【００７６】
図１２は図６の加工信号生成部１０７を境界信号生成回路１２００と色相・彩度調整判定回路１０９のみで構成した場合を表したものである。構成番号が同じものは図６と同じ動作である。
【００７７】
境界信号生成回路１２００は、色相・彩度を調整する対象となる色領域とそれ以外の色領域の境界上に映像信号が含まれているかどうかを判定し、境界信号として出力する。
【００７８】
図１３は境界信号生成回路１２００の構成図１３（ａ）とその説明図１３（ｂ）および図１３（ｃ）である。構成図１３（ａ）はＲチャンネル映像入力端子１３００−１、Ｇチャンネル映像入力端子１３００−２、Ｂチャンネル映像入力端子１３００−３、ＲＧＢ−ＨＳＶ変換回路１３０１、色相境界判定回路１３０２、処理を行う対象となる色領域の情報入力端子１３０３、彩度境界判定回路１３０４、境界判定回路１３０５および境界信号出力端子１３０６である。
【００７９】
ＲＧＢ−ＨＳＶ変換回路１３０１はＲＧＢ−ＨＳＶ変換回路２０１と同じ構成であり、色相出力Ｈ’および彩度出力Ｓ’を出力する。色相境界判定回路１３０２は、色相入力Ｈ’に対して処理を行う対象となる色領域の情報が図１３（ｂ）に示すＨａとＨｂで示される情報で入力されるのでそれぞれの入力に対してＨｗの大きさを加減した値すなわち、ＨａとＨａ＋Ｈｗの間およびＨｂとＨｂ−Ｈｗの間を境界として境界内にあるか否かを判定する。境界内の場合には１を境界外の場合には０を出力する。彩度境界判定回路１３０４は色相境界判定回路１３０２と同様にして彩度方向の判定を行う。すなわち、彩度入力Ｓ’に対して処理を行う対象となる色領域の情報が図１３（ｂ）に示すＳａとＳｂで示される情報で入力されるのでそれぞれの入力に対してＳｗの大きさを加減した値すなわち、ＳａとＳａ＋Ｓｗの間およびＳｂとＳｂ−Ｓｗの間を境界として境界内にあるか否かを判定する。境界内の場合には１を境界外の場合には０を出力する。境界判定回路１３０５は色相境界判定回路１３０２の出力および彩度境界判定回路１３０４の出力からいずれか一方または両方が１のとき、境界信号を出力端子１３０６から出力する。処理を行う対象となる色領域の情報は色領域設定部１０５からの情報である。
【００８０】
図１４は図１２の強調信号生成部１１１すなわちゼブラ信号生成回路１１２の具体的構成および動作説明図である。構成図１４（ａ）は、処理を行う対象となる色領域の境界上であるかどうかの判定信号入力端子１４００、処理を行う対象となる色領域に含まれているかどうかの判定信号入力端子１４０１、フレームパルス入力端子１４０３、パルス生成回路１４０４、フレームカウンタ１４０５、表示判定回路１４０６、第一の選択回路１４０７、第二の選択回路１４０８およびゼブラ映像信号出力端子１４０９である。
【００８１】
各部動作について説明する。
パルス生成回路１４０４は特定の幅で０→１→０→１→・・・を繰り返すパルスを生成する。
【００８２】
フレームカウンタ１４０５ではフレームパルス入力端子から入力したフレームパルスを０→１に変化するタイミングでフレームカウンタ値を１増やす。ただし１増やした結果が、予め定めておいた特定のフレーム数の値と一致する場合は、フレームパルスの値が次に０→１に変化するタイミングでフレームカウンタ値を１に戻す。この処理を繰り返す。特定フレーム数が１０の場合が図１４（ｂ）である。
【００８３】
表示判定回路１４０６では、フレームカウンタ１４０５からのフレームカウント値が１になるタイミングで０→１→０→１→・・・を繰り返す信号を生成する。このとき、０の値を保持する期間と１の値を保持する期間は同じ長さになり、その長さはフレームカウンタ１４０５で定めた特定のフレーム数の期間の長さと等しくなる。フレームカウンタ１４０５における特定のフレーム数が１０とした場合を図１４（ｃ）に示す。
【００８４】
第一の選択回路１４０７では表示判定回路１４０６からの信号の値により、出力する信号を選択する。表示判定回路１４０６からの信号の値が０の場合は処理を行う対象となる色領域に含まれているかどうかの判定信号入力端子１４０１からの入力をそのまま出力し、表示判定回路１４０６からの信号の値が１の場合は処理を行う対象となる色領域の境界上であるかどうかの判定信号入力端子１４００からの入力をそのまま出力する。
【００８５】
第二の選択回路１４０８は、第一の選択回路１４０７からの信号の値が０の場合は０を出力し、第一の選択回路１４０７からの信号の値が１の場合はパルス生成回路１４０４からのパルス信号をそのまま出力する。
【００８６】
以上の動作により、処理を行う対象となる色領域に含まれる箇所に表示するゼブラ信号と処理を行う対象となる色領域の境界上である箇所に表示するゼブラ信号とを特定のフレーム数毎に切り替えて表示するようになる。この実施の形態の例は、特定フレーム数が１０である。特定フレーム数を変えると表示が切り替わってから次に切り替わるまでのフレーム時間が変わる。これはフレームカウンタの設定値を変更する。
【００８７】
この実施の形態では、図１５に示すように境界上に加えて境界からある程度内側の部分に含まれる場合も「境界上である」と判定することで、モニタ画面上で明確に境界を表示して視認性を高めている。
【００８８】
本発明の実施の形態には幾多の変形が可能である。本実施の形態では表示に斜め縞のゼブラ信号を使用した例を示したが、ゼブラ信号ではなく、ドット信号でも同様に表示することが可能である。その時、距離に応じてドットの大きさの変化や、ドット間隔を変化させるなどゼブラ表示と同様なことが制御可能である。
【００８９】
また、本実施の形態では任意の映像信号処理として色補正を例にして説明したが、その他の処理でも同様である。
例えば、特定色検出処理がある。多くのテレビジョンカメラには、映像の質感をよりシャープにするために、輪郭を強調する機能がある。この機能を撮影画面全体に有効にすると、人の顔を撮影している場合、本来強調したくない肌荒れまでもが目立つようになる。それを避けるために、肌色であるかどうかを判断して、肌色でない部分のみ強調する機能を有効にするため肌色検出を行う。特定色検出回路の場合は、任意の映像信号処理部を特定色検出回路のみとし、特定色を検出した領域のみをゼブラ表示の縞を変化させる構成とする。
【００９０】
他の処理例として、色域変換処理がある。スーパーハイビジョンまたはＵＨＤＴＶの規格で撮影された映像をハイビジョンの規格に変換する際に表現できる色の範囲(色域)がスーパーハイビジョンやＵＨＤＴＶの方がハイビジョンに比べて広いため、ハイビジョンの色域からはみ出している色を、ハイビジョンの色域で表現できる色に変換する処理である。色域変換前と色域変換後とで映像レベルに差がある色領域部分において、ゼブラ信号の縞を変化させるものである。
任意の映像信号処理部を色域変換処理回路とし、比重値算出回路を色域変換処理回路の入出力のチャンネル毎の差の絶対値を合算した値を色域変換により最も色が変化する部分の変化量で除算した値を出力とする回路で構成し、後は色補正と同じ回路で構成できる。
【００９１】
他の処理例として、ダイナミックレンジ補正処理がある。イメージセンサには放送規格よりもダイナミックレンジが広いものがある。このようなイメージセンサを使用した放送用テレビジョンカメラにおいて、出力映像信号を放送規格で決められた映像レベルの範囲に抑えるために、広いダイナミックレンジの映像信号をクリップ処理やニー処理で圧縮する処理である。映像レベルを規格内に収めるためのクリップ処理を行う際に、クリップ処理前とクリップ処理後とで映像レベルに差がある色領域部分において、ゼブラ信号の縞を変化させるものである。
その構成は、比重値算出回路で、クリップ処理前とクリップ処理後とで映像レベルにどれだけ差があるかを算出する。まず、クリップ処理前のＲ、Ｇ、Ｂそれぞれの映像信号から、規格の上限とされている映像レベルの値（以下、上限値）を減算する。映像レベルが上限値より小さい場合は減算結果が負となるのでその場合は０とする。その後、クリップ処理前の映像レベルが取り得る最大値と上限値の差分を求め、先に求めた減算結果を差分で除算する。除算結果をすべて乗算して最終的な比重値とする。最終的な比重値は、１に近いほどクリップ処理前とクリップ処理後の値の差が大きく、０に近いほどクリップ処理前とクリップ処理後の値の差が小さいことを意味する。求めた比重値により、色補正と同様にしてゼブラ信号を作成する。
【産業上の利用可能性】
【００９２】
本発明は、放送局のテレビスタジオで使用する複数のテレビジョンカメラの色合わせや、特定色の検出、規格が異なるときに用いる色域変換補正やクリップ処理などの色処理を行う映像信号処理装置に好適である。
【符号の説明】
【００９３】
１０１    任意の映像信号処理部
１０２    色補正演算回路
１０３    色補正演算用係数生成回路
１０４    色相・彩度設定部
１０５    色領域設定部
１０６    色相・彩度調整対象領域設定部
１０７    加工信号生成部
１０８    比重値算出回路
１０９    色相・彩度調整判定回路
１１０    ゼブラ間隔決定回路
１１１    強調信号生成部
１１２    ゼブラ信号生成回路
１１３    ゼブラ信号合成回路
１１４    モニタ
【図１】
0006517037.tif 000002
【図２】
0006517037.tif 000003
【図３】
0006517037.tif 000004
【図４】
0006517037.tif 000005
【図５】
0006517037.tif 000006
【図６】
0006517037.tif 000007
【図７】
0006517037.tif 000008
【図８】
0006517037.tif 000009
【図９】
0006517037.tif 000010
【図１０】
0006517037.tif 000011
【図１１】
0006517037.tif 000012
【図１２】
0006517037.tif 000013
【図１３】
0006517037.tif 000014
【図１４】
0006517037.tif 000015
【図１５】
0006517037.tif 000016
【図１６】
0006517037.tif 000017
【図１７】
0006517037.tif 000018